(57)【要約】【課題】  部品点数の削減及び小型化等を図る。【解決手段】  ディスク状記録媒体１００の半径方向へ移動される移動ベース７と、該移動ベースを案内するガイド軸４と、軸回り方向へ回転することにより移動ベースをディスク状記録媒体の半径方向へ移動させるリードスクリュー５と、該リードスクリューを回転させる駆動モーター１７と、リードスクリューに係合され該リードスクリューの回転方向に応じた方向へ送られる係合ナット１６ｂと、球面収差を補正する球面収差補正用レンズ１２ａ、１２ｂと、移動ベースに移動自在に支持されると共に球面収差補正用レンズを保持し係合ナットの移動方向に応じた方向へ移動ベースに対して移動されるレンズホルダー１６と、ガイド軸に対する移動ベースの移動と移動ベースに対するレンズホルダーの移動とを選択的に規制するブレーキ１８とを設けた。【選択図】図３
2006147054.tif 000002
【特許請求の範囲】
【請求項１】
ディスクテーブルに装着されるディスク状記録媒体に対して対物レンズを介してレーザー光を照射しディスク状記録媒体に対する情報信号の記録又は再生を行う光ピックアップであって、
ディスクテーブルに装着されたディスク状記録媒体の半径方向へ移動される移動ベースと、
該移動ベースをディスク状記録媒体の半径方向へ案内するガイド軸と、
該ガイド軸に平行な状態で配置され軸回り方向へ回転することにより移動ベースをディスク状記録媒体の半径方向へ移動させるリードスクリューと、
該リードスクリューを回転させる駆動モーターと、
リードスクリューに係合され該リードスクリューの回転方向に応じた方向へ送られる係合ナットと、
球面収差補正用レンズと、
移動ベースに移動自在に支持されると共に球面収差補正用レンズを保持しリードスクリューの回転に伴う係合ナットの移動方向に応じた方向へ移動ベースに対して移動されるレンズホルダーと、
ガイド軸に対する移動ベースの移動と移動ベースに対するレンズホルダーの移動とを選択的に規制するブレーキとを備えた
ことを特徴とする光ピックアップ。
【請求項２】
上記係合ナットをレンズホルダーに設け、
該レンズホルダーの移動方向と移動ベースの移動方向とを同じ方向にした
ことを特徴とする請求項１に記載の光ピックアップ。
【請求項３】
上記レンズホルダーを係合ナットの移動に連動して移動させ、
レンズホルダーの移動方向と移動ベースの移動方向とを異なる方向にした
ことを特徴とする請求項１に記載の光ピックアップ。
【請求項４】
上記移動ベースにブレーキが所定の方向へ移動可能に支持され、
ブレーキに第１のブレーキパッドと第２のブレーキパッドを設け、
ブレーキが一方の方向へ移動されたときに第１のブレーキパッドがガイド軸に接してガイド軸に対する移動ベースの移動が規制され、ブレーキが他方の方向へ移動されたときに第２のブレーキパッドがレンズホルダーに接して移動ベースに対するレンズホルダーの移動が規制されるようにした
ことを特徴とする請求項１に記載の光ピックアップ。
【請求項５】
ディスクテーブルに装着されるディスク状記録媒体に対して対物レンズを介してレーザー光を照射しディスク状記録媒体に対する情報信号の記録又は再生を行う光ピックアップを備えたディスクドライブ装置であって、
上記光ピックアップは、
ディスクテーブルに装着されたディスク状記録媒体の半径方向へ移動される移動ベースと、
該移動ベースをディスク状記録媒体の半径方向へ案内するガイド軸と、
該ガイド軸に平行な状態で配置され軸回り方向へ回転することにより移動ベースをディスク状記録媒体の半径方向へ移動させるリードスクリューと、
該リードスクリューを回転させる駆動モーターと、
リードスクリューに係合され該リードスクリューの回転方向に応じた方向へ送られる係合ナットと、
球面収差補正用レンズと、
移動ベースに移動自在に支持されると共に球面収差補正用レンズを保持しリードスクリューの回転に伴う係合ナットの移動方向に応じた方向へ移動ベースに対して移動されるレンズホルダーと、
ガイド軸に対する移動ベースの移動と移動ベースに対するレンズホルダーの移動とを選択的に規制するブレーキとを備えた
ことを特徴とするディスクドライブ装置。
【請求項６】
上記係合ナットをレンズホルダーに設け、
該レンズホルダーの移動方向と移動ベースの移動方向とを同じ方向にした
ことを特徴とする請求項１に記載のディスクドライブ装置。
【請求項７】
上記レンズホルダーを係合ナットの移動に連動して移動させ、
レンズホルダーの移動方向と移動ベースの移動方向とを異なる方向にした
ことを特徴とする請求項１に記載のディスクドライブ装置。
【請求項８】
上記移動ベースにブレーキが所定の方向へ移動可能に支持され、
ブレーキに第１のブレーキパッドと第２のブレーキパッドを設け、
ブレーキが一方の方向へ移動されたときに第１のブレーキパッドがガイド軸に接してガイド軸に対する移動ベースの移動が規制され、ブレーキが他方の方向へ移動されたときに第２のブレーキパッドがレンズホルダーに接して移動ベースに対するレンズホルダーの移動が規制されるようにした
ことを特徴とする請求項１に記載のディスクドライブ装置。
【発明の詳細な説明】
【技術分野】
【０００１】
本発明は光ピックアップ及びこれを備えたディスクドライブ装置についての技術分野に関する。詳しくは、球面収差補正用レンズを移動させる機構の駆動源と移動ベースを移動させる機構の駆動源を共通化し、部品点数の削減及び小型化等を図る技術分野に関する。
【背景技術】
【０００２】
ディスク状記録媒体に対する情報信号の記録や再生を行うディスクドライブ装置があり、このようなディスクドライブ装置は、ディスクテーブルに装着されるディスク状記録媒体の半径方向へ移動し該ディスク状記録媒体に対して対物レンズを介してレーザー光を照射して情報信号の記録又は再生を行う光ピックアップを備えている。
【０００３】
光ピックアップは、ディスク状記録媒体の半径方向へ移動可能とされた移動ベースに発光素子や受光素子等の各光学部品が配置され、発光素子から発光されたレーザー光がディスク状記録媒体の記録面で反射され、その戻り光が受光素子で受光されてディスク状記録媒体に対する情報信号の記録又は再生が行われる。
【０００４】
このようなディスクドライブ装置においては、上記したように、発光素子から出射されたレーザー光がディスク状記録媒体の記録面で反射されるが、このときディスク状記録媒体の情報記録層を保護する透明な保護層をレーザー光が透過され、この保護層の厚み誤差等に基づいて球面収差が発生するおそれがある。特に、高記録密度化されたＢＤ（Blu-ray Disc）やＨＤ−ＤＶＤ（High Definition Digital Versatile Disc）等にあっては、この球面収差が生じ易い。
【０００５】
そこで、このようなディスクドライブ装置には、球面収差補正機構を設けて球面収差を補正するようにしたものがある（例えば、特許文献１参照）。
【０００６】
特許文献１に記載された球面収差補正機構は、球面収差補正用の２つのレンズを設け、一方のレンズをステッピングモーターを用いて光軸方向へ移動させることにより、２つのレンズ間の距離を最適化することにより球面収差を補正するようにしている。
【０００７】
【特許文献１】特開２００３―４５０６８号公報
【発明の開示】
【発明が解決しようとする課題】
【０００８】
ところが、上記した従来のディスクドライブ装置にあっては、球面収差補正機構と移動ベースを移動させるための移動機構とが別駆動とされており、各機構を駆動するためにそれぞれ専用のモーターが用いられている。
【０００９】
従って、その分、部品点数が多く、また、これらの複数のモーターを配置するためのスペースをそれぞれ必要とし、ディスクドライブ装置の大型化を来たすという問題がある。
【００１０】
そこで、本発明光ピックアップ及びこれを備えたディスクドライブ装置は、上記した問題点を克服し、部品点数の削減及び小型化等を図ることを課題とする。
【課題を解決するための手段】
【００１１】
本発明光ピックアップ及びこれを備えたディスクドライブ装置は、上記した課題を解決するために、ディスクテーブルに装着されたディスク状記録媒体の半径方向へ移動される移動ベースと、該移動ベースをディスク状記録媒体の半径方向へ案内するガイド軸と、該ガイド軸に平行な状態で配置され軸回り方向へ回転することにより移動ベースをディスク状記録媒体の半径方向へ移動させるリードスクリューと、該リードスクリューを回転させる駆動モーターと、リードスクリューに係合され該リードスクリューの回転方向に応じた方向へ送られる係合ナットと、球面収差補正用レンズと、移動ベースに移動自在に支持されると共に球面収差補正用レンズを保持しリードスクリューの回転に伴う係合ナットの移動方向に応じた方向へ移動ベースに対して移動されるレンズホルダーと、ガイド軸に対する移動ベースの移動と移動ベースに対するレンズホルダーの移動とを選択的に規制するブレーキとを設けたものである。
【００１２】
従って、本発明光ピックアップ及びこれを備えたディスクドライブ装置にあっては、ブレーキによってガイド軸に対する移動ベースの移動が規制されたときにリードスクリューの回転に基づいてレンズホルダーが移動ベースに対して移動可能とされ、ブレーキによって移動ベースに対するレンズホルダーの移動が規制されたときにリードスクリューの回転に基づいて移動ベースがガイド軸に対して移動可能とされる。
【発明の効果】
【００１３】
本発明光ピックアップは、ディスクテーブルに装着されるディスク状記録媒体に対して対物レンズを介してレーザー光を照射しディスク状記録媒体に対する情報信号の記録又は再生を行う光ピックアップであって、ディスクテーブルに装着されたディスク状記録媒体の半径方向へ移動される移動ベースと、該移動ベースをディスク状記録媒体の半径方向へ案内するガイド軸と、該ガイド軸に平行な状態で配置され軸回り方向へ回転することにより移動ベースをディスク状記録媒体の半径方向へ移動させるリードスクリューと、該リードスクリューを回転させる駆動モーターと、リードスクリューに係合され該リードスクリューの回転方向に応じた方向へ送られる係合ナットと、球面収差を補正する球面収差補正用レンズと、移動ベースに移動自在に支持されると共に球面収差補正用レンズを保持しリードスクリューの回転に伴う係合ナットの移動方向に応じた方向へ移動ベースに対して移動されるレンズホルダーと、ガイド軸に対する移動ベースの移動と移動ベースに対するレンズホルダーの移動とを選択的に規制するブレーキとを備えたことを特徴とする。
【００１４】
従って、レンズホルダーの移動と移動ベースの移動がともに駆動モーターの回転により行われ駆動源の共通化が図られるため、部品点数の削減による機構の簡素化を図ることができ、また、駆動源の配置スペースが小さくなることにより光ピックアップの小型化を図ることができる。
【００１５】
請求項２に記載した発明にあっては、上記係合ナットをレンズホルダーに設け、該レンズホルダーの移動方向と移動ベースの移動方向とを同じ方向にしたので、機構の簡素化が図られ、製造コストの低減を図ることができる。
【００１６】
請求項３に記載した発明にあっては、上記レンズホルダーを係合ナットの移動に連動して移動させ、レンズホルダーの移動方向と移動ベースの移動方向とを異なる方向にしたので、光学系の光軸の向きに拘わらず球面収差補正用レンズを球面収差を補正するための所望の方向へ移動させることができ、設計の自由度の向上を図ることができる。
【００１７】
請求項４に記載した発明にあっては、上記移動ベースにブレーキが所定の方向へ移動可能に支持され、ブレーキに第１のブレーキパッドと第２のブレーキパッドを設け、ブレーキが一方の方向へ移動されたときに第１のブレーキパッドがガイド軸に接してガイド軸に対する移動ベースの移動が規制され、ブレーキが他方の方向へ移動されたときに第２のブレーキパッドがレンズホルダーに接して移動ベースに対するレンズホルダーの移動が規制されるようにしたので、１つのブレーキによって移動ベースの移動の規制とレンズホルダーの移動の規制とが選択的に行われるため、部品点数が少なく、光ピックアップの機構の簡素化及び小型化を図ることができる。
【００１８】
本発明光ピックアップを備えたディスクドライブ装置は、ディスクテーブルに装着されるディスク状記録媒体に対して対物レンズを介してレーザー光を照射しディスク状記録媒体に対する情報信号の記録又は再生を行う光ピックアップを備えたディスクドライブ装置であって、上記光ピックアップは、ディスクテーブルに装着されたディスク状記録媒体の半径方向へ移動される移動ベースと、該移動ベースをディスク状記録媒体の半径方向へ案内するガイド軸と、該ガイド軸に平行な状態で配置され軸回り方向へ回転することにより移動ベースをディスク状記録媒体の半径方向へ移動させるリードスクリューと、該リードスクリューを回転させる駆動モーターと、リードスクリューに係合され該リードスクリューの回転方向に応じた方向へ送られる係合ナットと、球面収差補正用レンズと、移動ベースに移動自在に支持されると共に球面収差補正用レンズを保持しリードスクリューの回転に伴う係合ナットの移動方向に応じた方向へ移動ベースに対して移動されるレンズホルダーと、ガイド軸に対する移動ベースの移動と移動ベースに対するレンズホルダーの移動とを選択的に規制するブレーキとを備えたことを特徴とする。
【００１９】
従って、レンズホルダーの移動と移動ベースの移動がともに駆動モーターの回転により行われ駆動源の共通化が図られるため、部品点数の削減による機構の簡素化を図ることができ、また、駆動源の配置スペースが小さくなることによりディスクドライブ装置の小型化を図ることができる。
【００２０】
請求項６に記載した発明にあっては、上記係合ナットをレンズホルダーに設け、該レンズホルダーの移動方向と移動ベースの移動方向とを同じ方向にしたので、機構の簡素化が図られ、製造コストの低減を図ることができる。
【００２１】
請求項７に記載した発明にあっては、上記レンズホルダーを係合ナットの移動に連動して移動させ、レンズホルダーの移動方向と移動ベースの移動方向とを異なる方向にしたので、光学系の光軸の向きに拘わらず球面収差補正用レンズを球面収差を補正するための所望の方向へ移動させることができ、設計の自由度の向上を図ることができる。
【００２２】
請求項８に記載した発明にあっては、上記移動ベースにブレーキが所定の方向へ移動可能に支持され、ブレーキに第１のブレーキパッドと第２のブレーキパッドを設け、ブレーキが一方の方向へ移動されたときに第１のブレーキパッドがガイド軸に接してガイド軸に対する移動ベースの移動が規制され、ブレーキが他方の方向へ移動されたときに第２のブレーキパッドがレンズホルダーに接して移動ベースに対するレンズホルダーの移動が規制されるようにしたので、１つのブレーキによって移動ベースの移動の規制とレンズホルダーの移動の規制とが選択的に行われるため、部品点数が少なく、ディスクドライブ装置の機構の簡素化及び小型化を図ることができる。
【発明を実施するための最良の形態】
【００２３】
以下に、本発明光ピックアップ及びこれを備えたディスクドライブ装置の最良の形態を添付図面に従って説明する。
【００２４】
ディスクドライブ装置１は、外筐２内に所要の各部材及び各機構が配置されて成り（図１参照）、外筐２には図示しないディスク挿入口が形成されている。
【００２５】
外筐２内には図示しないシャーシが配置され、該シャーシに取り付けられたスピンドルモーターのモーター軸にディスクテーブル３が固定されている。
【００２６】
シャーシには、平行なガイド軸４が取り付けられると共に後述する駆動モーターによって回転されるリードスクリュー５が支持されている。
【００２７】
光ピックアップ６は、移動ベース７と該移動ベース７に配置された所要の光学部品と移動ベース７上に配置された対物レンズ駆動装置８とを有し、移動ベース７の両端部に設けられた軸受部７ａ、７ｂがそれぞれガイド軸４とリードスクリュー５に支持されている。光ピックアップ６に設けられた後述する係合ナットがリードスクリュー５に螺合され、送りモーターによってリードスクリュー５が回転されると、係合ナットがリードスクリュー５の回転方向へ応じた方向へ送られ、光ピックアップ６がディスクテーブル３に装着されるディスク状記録媒体１００の半径方向へ移動される。
【００２８】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されてディスク状記録媒体１００に対する記録動作又は再生動作が行われる。
【００２９】
光ピックアップ６は、図２に示すように、発光素子９、ビームスプリッター１０、コリメーターレンズ１１、第１の球面収差補正用レンズ１２ａ、第２の球面収差補正用レンズ１２ｂ、立ち上げミラー１３、対物レンズ８ａ及び受光素子１４を備えている。
【００３０】
発光素子９は半導体レーザーであり、発光素子９からは、例えば、約４０５ｎｍの波長のレーザー光がディスク状記録媒体１００である、例えば、ＢＤ（Blu-ray Disc）へ向けて発光される。
【００３１】
ビームスプリッター１０は、発光素子９から発光されたレーザー光を分離面１０ａで反射してコリメーターレンズ１１へ導き、ディスク状記録媒体１００で反射されたレーザー光の戻り光を分離面１０ａを透過させて受光素子１４へ導く機能を有する。
【００３２】
コリメーターレンズ１１は入射されたレーザー光の光束を平行光束にする機能を有する。従って、ビームスプリッター１０を介してコリメーターレンズ１１に入射されたレーザー光は、平行光束となって立ち上げミラー１３を介して対物レンズ８ａに入射される。
【００３３】
第１の球面収差補正用レンズ１２ａ及び第２の球面収差補正用レンズ１２ｂはディスク状記録媒体１００のカバー層に厚み誤差等がある場合に発生する球面収差を補正するためのレンズであり、例えば、第１の球面収差補正用レンズ１２ａが光軸方向へ移動可能とされ、第２の球面収差補正用レンズ１２ｂが移動ベース７に対して固定され、第１の球面収差補正用レンズ１２ａが光軸方向へ移動されることにより球面収差が補正される。
【００３４】
立ち上げミラー１３はレーザー光を反射して対物レンズ８ａ又はコリメーターレンズ１１へ導く機能を有する。
【００３５】
対物レンズ８ａは入射されたレーザー光をディスク状記録媒体１００の記録面上に集光させる機能を有する。
【００３６】
以上のように構成された光ピックアップ６において、発光素子９からレーザー光が発光されると、レーザー光はビームスプリッター１０の分離面１０ａで反射されてコリメーターレンズ１１によって平行光束とされ、第１の球面収差補正用レンズ１２ａ及び第２の球面収差補正用レンズ１２ｂを透過されて立ち上げミラー１３で立ち上げられて対物レンズ８ａを介してディスクテーブル３に装着されたディスク状記録媒体１００の記録面に照射される。ディスク状記録媒体１００の記録面に照射されたレーザー光は、該記録面で反射されて戻り光として再び対物レンズ８ａ、立ち上げミラー１３、第２の球面収差補正用レンズ１２ｂ、第１の球面収差補正用レンズ１２ａ及びコリメーターレンズ１１を介してビームスプリッター１０に入射される。ビームスプリッター１０に入射された戻り光は、ビームスプリッター１０の分離面１０ａを透過され、受光素子１４に入射される。受光素子１４に戻り光が入射されると、ＲＦ信号等の各信号が検出されディスク状記録媒体１００に対する情報信号の記録又は再生が行われる。
【００３７】
移動ベース７上には、図３に示すように、平行な状態で一対の案内軸１５、１５が配置され、該案内軸１５、１５はガイド軸４及びリードスクリュー５の延びる方向、即ち、ディスク状記録媒体１００の半径方向に延びるように配置されている。
【００３８】
案内軸１５、１５にはレンズホルダー１６が移動自在に支持されている。レンズホルダー１６は、リードスクリュー５の軸方向に対して直交する方向に長く形成された保持部１６ａと、該保持部１６ａの長手方向における一端部に設けられた係合ナット１６ｂと、保持部１６ａの他端部に設けられた被接触部１６ｃとを有し、該被接触部１６ｃは保持部１６ａに対して９０°屈曲された状態で設けられている。
【００３９】
保持部１６ａには第１の球面収差補正用レンズ１２ａが保持されている。
【００４０】
係合ナット１６ｂはリードスクリュー５に係合されている。リードスクリュー５は駆動モーター１７の回転によって軸方向へ回転され、リードスクリュー５の回転方向に応じた方向へ係合ナット１６ｂが送られることによりレンズホルダー１６が移動ベース７の移動方向と同じ方向へ移動される。
【００４１】
移動ベース７にはブレーキ１８が取り付けられている。ブレーキ１８は変形部１８ａと該変形部１８ａの一端部の両面にそれぞれ設けられた第１のブレーキパッド１８ｂ、第２のブレーキパッド１８ｃとから成り、変形部１８ａの他端部が移動ベース７に取り付けられている。
【００４２】
変形部１８ａとしては、例えば、圧電素子が用いられ、第１のブレーキパッド１８ｂがガイド軸４に近付く向き又は第２のブレーキパッド１８ｃがレンズホルダー１６の被接触部１６ｃに近付く向きに変形される。変形部１８ｂの変形により第１のブレーキパッド１８ｂがガイド軸４に接触されると、ガイド軸４に対する移動ベース７の移動が規制され（図３参照）、変形部１８ｂの変形により第２のブレーキパッド１８ｃが被接触部１６ｃに接触されると、移動ベース７に対するレンズホルダー１６の移動が規制される（図４参照）。
【００４３】
従って、ガイド軸４に対する移動ベース７の移動が規制された状態において駆動モーター１７の回転に伴うリードスクリュー５の回転によって係合ナット１６ｂが送られると、レンズホルダー１６の移動ベース７に対する移動に伴って第１の球面収差補正用レンズ１２ａが光軸方向へ移動される。一方、移動ベース７に対するレンズホルダー１６の移動が規制された状態において駆動モーター１７の回転に伴うリードスクリュー５の回転によって係合ナット１６ｂが送られると、移動ベース７とレンズホルダー１６が一体となってガイド軸４に対してディスク状記録媒体１００の半径方向へ移動される。
【００４４】
このようにディスクドライブ装置１にあっては、ブレーキ１８の変形部１８ａが変形されたときの位置によって移動ベース７又はレンズホルダー１６が選択的に移動される。
【００４５】
以上のように、ディスクドライブ装置１にあっては、移動ベース７にそれぞれ配置された案内軸１５、１５、レンズホルダー１６、ブレーキ１８、第１の球面収差補正用レンズ１２ａ及び第２の球面収差補正用レンズ１２ｂ等によって球面収差を補正する球面収差補正機構１９が構成される。
【００４６】
ディスクドライブ装置１にあっては、例えば、ディスク状記録媒体１００がディスクテーブル３に装着されて図示しない記録釦又は再生釦が操作されると、先ず、ブレーキ１８の変形部１８ａが変形されて第２のブレーキパッド１８ｃがレンズホルダー１６の被接触部１６ｃに接し、リードスクリュー５の回転により光ピックアップ６がディスク状記録媒体１００の内周側へ移動され、この内周側に存在する情報記録エリアに記録された情報の読取を行う。
【００４７】
次に、ブレーキ１８の変形部１８ａが反対側に変形されて第１のブレーキパッド１８ｂがガイド軸４に接し、リードスクリュー５の回転によりレンズホルダー１６が移動されて球面収差の補正が行われる。球面収差の補正はレンズホルダー１６を移動させて第１の球面収差補正用レンズ１２ａを光軸方向へ移動させ、第１の球面収差補正用レンズ１２ａと第２の球面収差補正用レンズ１２ｂの間隔を調整することにより行う。この調整は、例えば、第１の球面収差補正用レンズ１２ａを移動させて情報再生信号の振幅を図示しない検出回路によって検出し、その検出結果から得られる出力信号に基づいて駆動モーター１７に電流を供給し、情報再生信号の振幅が最大となる位置に第１の球面収差補正用レンズ１２ａが移動されるようにすることにより行う。
【００４８】
上記の球面収差の補正が終了すると、ブレーキ１８の変形部１８ａが再度反対側に変形されて第２のブレーキパッド１８ｃがレンズホルダー１６の被接触部１６ｃに接し、リードスクリュー５の回転により光ピックアップ６がディスク状記録媒体１００の内周側から外周側へ移動されてディスク状記録媒体１００に対する情報信号の記録又は再生が行われる。
【００４９】
尚、上記には、レンズホルダー１６に保持された第１の球面収差補正用レンズ１２ａと移動ベース７に対して固定された第２の球面収差補正用レンズ１２ｂとによって球面収差を補正するためのレンズを構成するようにしたが、第１の球面収差補正用レンズ１２ａ及び第２の球面収差補正用レンズ１２ｂに代えて、レンズホルダー１６にコリメーターレンズ１１を保持して該コリメーターレンズ１１を球面収差補正用のレンズとして用い、コリメーターレンズ１１を光軸方向に移動させることにより球面収差を補正するようにしてもよい。
【００５０】
上記した球面収差補正機構１９のように、係合ナット１６ｂをレンズホルダー１６に設け、該レンズホルダー１６の移動方向と移動ベース７の移動方向とを同じ方向にすることにより、機構の簡素化が図られ、製造コストの低減を図ることができる。
【００５１】
以下に、球面収差補正機構の別の例として球面収差補正機構２０を示す（図５及び図６参照）。
【００５２】
球面収差補正機構２０はラックギヤ２１、連結ギヤ２２、レンズホルダー２３、ソレノイド２４、プランジャー２５及びブレーキ２６を有している。
【００５３】
ラックギヤ２１は被支持部２１ａと該被支持部２１ａから直交する方向へ突出された突部２１ｂとから成り、被支持部２１ａにギヤ部２１ｃが形成され、突部２１ｂに係合ナット２１ｄが設けられている。ラックギヤ２１は移動ベース７上において被支持部２１ａがガイド軸４の軸方向に移動自在に支持され、係合ナット２１ｄがリードスクリュー５に係合されている。
【００５４】
連結ギヤ２２は２段ギヤであり、大径部２２ａと小径部２２ｂとから成る。連結ギヤ２２は大径部２２ａがラックギヤ２１のギヤ部２１ｃに噛合されている。
【００５５】
レンズホルダー２３は被支持面部２３ａと該被支持面部２３ａから直交する方向へ突出されたホルダー部２３ｂとから成り、被支持面部２３ａにギヤ部２３ｃが形成され、ホルダー部２３ｂに、例えば、コリメーターレンズ１１が保持されている。レンズホルダー２３は移動ベース７上において被支持面部２３ａがガイド軸４の軸方向と直交する方向に移動自在に支持されている。レンズホルダー２３はギヤ部２３ｃが連結ギヤ２２の小径部２２ｂに噛合されている。
【００５６】
リードスクリュー５の回転によりラックギヤ２１がガイド軸４の軸方向、即ち、ディスク状記録媒体１００の半径方向へ移動されると、その移動力が連結ギヤ２２を介してレンズホルダー２３に伝達され、該レンズホルダー２３がガイド軸４の軸方向と直交する方向へ移動され、コリメーターレンズ１１がレンズホルダー２３の移動に伴ってガイド軸４の軸方向と直交する方向へ移動される。
【００５７】
ソレノイド２４は移動ベース７上に配置されている。プランジャー２５はソレノイドに対する給電状態に応じて出し入れされ、ガイド軸４の軸方向へ移動される。
【００５８】
ブレーキ２６は第１の部分２７と第２の部分２８とが略直交するように屈曲されて形成され、第１の部分２７に第１のブレーキパッド２７ａが設けられ、第２の部分２８に第２のブレーキパッド２８ａが設けられている。ブレーキ２６の第１の部分２７には引張コイルバネ２９の一端部が支持され、該引張コイルバネ２９の他端部が移動ベース７に支持されている。ブレーキ２６の第２の部分２８の先端部はプランジャー２５に支持されている。
【００５９】
ブレーキ２６は移動ベース７上において回動自在に支持され、ブレーキ２６が回動されることにより、第１のブレーキパッド２７ａがガイド軸４に離接する方向へ移動されると共に第２のブレーキパッド２８ａがレンズホルダー２３に離接する方向へ移動される。ブレーキ２６は引張コイルバネ２９によって第１のブレーキパッド２７ａがガイド軸４から離隔する方向へ付勢されている。従って、プランジャー２５がソレノイド２４に対して引き込まれたときに第１のブレーキパッド２７ａがガイド軸４に接すると共に第２のブレーキパッド２８ａがレンズホルダー２３から離隔され（図５参照）、ソレノイド２４に対する給電が停止されてプランジャー２５がソレノイド２４に対して引き出されたときに第２のブレーキパッド２８ａがレンズホルダー２３に接すると共に第１のブレーキパッド２７ａがガイド軸４から離隔される（図６参照）。
【００６０】
第１のブレーキパッド２７ａがガイド軸４に接触されると、ガイド軸４に対する移動ベース７の移動が規制され、駆動モーター１７の回転に伴うリードスクリュー５の回転によって係合ナット２１ｄが送られたときに、レンズホルダー２３の移動ベース７に対する移動に伴ってコリメーターレンズ１１が光軸方向へ移動され球面収差補正が行われる。
【００６１】
第２のブレーキパッド２８ａがレンズホルダー２３に接触されると、移動ベース７に対するレンズホルダー２３の移動が規制され、駆動モーター１７の回転に伴うリードスクリュー５の回転によって係合ナット２１ｄが送られたときに、移動ベース７とレンズホルダー２３が一体となってガイド軸４に対してディスク状記録媒体１００の半径方向へ移動される。
【００６２】
上記した球面収差補正機構２０のように、ラックギヤ２１、連結ギヤ２２及びレンズホルダー２３を用い、該レンズホルダー２３の移動方向と移動ベース７の移動方向とを異なる方向にすることにより、光学系の光軸の向きに拘わらずコリメーターレンズ１１を球面収差を補正するための所望の方向へ移動させることができ、設計の自由度の向上を図ることができる。
【００６３】
尚、球面収差補正機構２０にあっては、レンズホルダー２３に保持されたコリメーターレンズ１１によって球面収差を補正するためのレンズを構成するようにしたが、球面収差補正機構１９と同様に、第１の球面収差補正用レンズ１２ａ及び第２の球面収差補正用レンズ１２ｂを用い、レンズホルダー２３に第１の球面収差補正用レンズ１２ａを保持して球面収差を補正するようにしてもよい。
【００６４】
以上に記載した通り、ディスクドライブ装置１にあっては、球面収差補正機構１９（２０）の移動と移動ベース７の移動がともに駆動モーター１７の回転により行われ駆動源の共通化が図られているため、部品点数の削減による機構の簡素化を図ることができ、また、駆動源の配置スペースが小さくなることによりディスクドライブ装置１の小型化を図ることができる。
【００６５】
また、ディスクドライブ装置１にあっては、１つのブレーキ１８又はブレーキ２６によって移動ベース７の移動の規制とレンズホルダー１６の移動の規制とが選択的に行われるため、部品点数が少なく、一層の機構の簡素化及び小型化を図ることができる。
【００６６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６７】
【図１】図２乃至図６と共に本発明を実施するための最良の形態を示すものであり、本図はディスクドライブ装置の概略斜視図である。
【図２】光ピックアップの構成を示す概念図である。
【図３】図４と共に球面収差補正機構を示すものであり、本図はレンズホルダーが移動可能とされている状態を示す概略拡大平面図である。
【図４】レンズホルダーが移動不能とされている状態を示す概略拡大平面図である。
【図５】図６と共に別の球面収差補正機構を示すものであり、本図はレンズホルダーが移動可能とされている状態を示す概略拡大平面図である。
【図６】レンズホルダーが移動不能とされている状態を示す概略拡大平面図である。
【符号の説明】
【００６８】
１００…ディスク状記録媒体、１…ディスクドライブ装置、３…ディスクテーブル、４…ガイド軸、５…リードスクリュー、６…光ピックアップ、７…移動ベース、８ａ…対物レンズ、１１…コリメーターレンズ（球面収差補正用レンズ）、１２ａ…第１の球面収差補正用レンズ、１２ｂ…第２の球面収差補正用レンズ、１６…レンズホルダー、１６ｂ…係合ナット、１７…駆動モーター、１８…ブレーキ、１８ｂ…第１のブレーキパッド、１８ｃ…第２のブレーキパッド、２１ｄ…係合ナット、２３…レンズホルダー、２６…ブレーキ、２７ａ…第１のブレーキパッド、２８ａ…第２のブレーキパッド
【図１】
2006147054.tif 000003
【図２】
2006147054.tif 000004
【図３】
2006147054.tif 000005
【図４】
2006147054.tif 000006
【図５】
2006147054.tif 000007
【図６】
2006147054.tif 000008